(57)【要約】【課題】  予め設けられた歯冠部を基準として整形部を整形でき、正確な歯の形を短時間で容易に覚えることができる歯型模型及びその使用方法を提供することを目的とする。【解決手段】  本歯型模型１ａは、載置部２、歯根部３及び所定部分が欠損された歯冠部４を備え、この歯冠部４の欠損部位Ｓに、ワックスＷを取着するための凸状の取着部５が設けられている。本歯型模型１ａを使用して整形を行う際、先ず、取着部５にワックスＷを用いて整形部７を取着し、その後、予め設けられている歯冠部４を基準として参考としながらその整形部７が整形される。【選択図】  図４
2005261780.tif 000002
【特許請求の範囲】
【請求項１】
所定部分が欠損されてなる歯冠部を備えることを特徴とする歯型模型。
【請求項２】
前記歯冠部の欠損部位に、整形部を取着するための取着部が設けられている請求項１記載の歯型模型。
【請求項３】
前記取着部が外方に向って突出する突出状である請求項２記載の歯型模型。
【請求項４】
前記歯冠部の欠損部位に、整形部が予め設けられている請求項１記載の歯型模型。
【請求項５】
前記歯冠部に連なる歯根部を備え、エナメル質とセメント質との境界を示す歯頚線が形成されている請求項１乃至４のいずれか一項に記載の歯型模型。
【請求項６】
前記歯冠部が前歯のものである請求項１乃至５のいずれか一項に記載の歯型模型。
【請求項７】
前記歯冠部の近心側、遠心側、唇側、舌側及び切面側のうちの１又は２以上を欠損してなる請求項６記載の歯型模型。
【請求項８】
前記歯冠部が臼歯のものである請求項１乃至５のいずれか一項に記載の歯型模型。
【請求項９】
前記歯冠部の近心側、遠心側、頬側、舌側及び咬合面側のうちの１又は２以上を欠損してなる請求項８記載の歯型模型。
【請求項１０】
請求項２又は３記載の歯型模型の使用方法であって、
前記取着部に整形用材料を用いて整形部を取着し、その後、前記歯冠部を基準として前記整形部を整形することを特徴とする歯型模型の使用方法。
【請求項１１】
前記歯型模型は、前記歯冠部に連なる歯根部を備え、前記歯冠部と共に、エナメル質とセメント質との境界を示す歯頚線を基準として前記整形部を整形する請求項１０記載の歯型模型の使用方法。
【請求項１２】
請求項４記載の歯型模型の使用方法であって、
前記歯冠部を基準として前記整形部を整形することを特徴とする歯型模型の使用方法。
【請求項１３】
前記歯型模型は、前記歯冠部に連なる歯根部を備え、前記歯冠部と共に、エナメル質とセメント質との境界を示す歯頚線を基準として前記整形部を整形する請求項１２記載の歯型模型の使用方法。
【発明の詳細な説明】
【技術分野】
【０００１】
本発明は、歯型模型及びその使用方法に関し、更に詳しくは、予め設けられた歯冠部を基準として整形部を整形でき、正確な歯の形を短時間で容易に覚えることができる歯型模型及びその使用方法に関する。
【背景技術】
【０００２】
従来より一般に、歯科技工の学習として、歯の形（特に、歯冠の形）を立体的に覚えたり、歯科技工の基礎技術（器具・材料の性質・取扱い方等）を習得したりすることを目的として歯型彫刻の実習が行われている。
この歯型彫刻の実習では、図５０（ａ）〜（ｈ）に示すように、石膏角柱に展開図を書きこれを彫刻刀で粗彫りする複数回の粗彫り工程を順次行って、その後、最終的な仕上げ工程で滑らかで正確な歯の形を有する歯冠及び歯根を彫り上げることが行なわれている（例えば、非特許文献１参照。）。
【０００３】
【非特許文献１】佐伯政友、瀬尾次郎著，「歯科技工士教本  歯の解剖学」，第１版，医歯薬出版株式会社，１９９８年１月２０日，Ｐ１３９−１７３
【発明の開示】
【発明が解決しようとする課題】
【０００４】
しかし、上記従来の歯型彫刻の実習では、複数回（例えば、６回）の粗彫り工程を経てから仕上げ工程を行うようにしているので、彫り方を覚える練習には適しているが、最終形状である歯の形を覚える練習には適していない。即ち、仕上げ工程のみを集中的に繰返して行うことができず、訓練生にとっては、歯の形を短時間で簡易に覚えることが困難なものである。
また、上記従来の歯型彫刻の実習では、教官の指導のもとに彫刻を行うといっても、複数回の粗彫り工程の途中で歯軸等が微妙にずれてしまと、仕上げ工程における最終的な歯の形が目標とする形に対して大きくずれてしまい、正確な歯の形を覚えることができない恐れがある。
さらに、上記従来の歯型彫刻の自習では、訓練生が、歯冠を構成する各歯面のうち所望の歯面の形を集中的に覚える訓練をしたくてもできなかった。
【０００５】
以上より、本発明は、上記現状に鑑みてなされたものであり、予め設けられた歯冠部を基準として整形部を整形でき、正確な歯の形を短時間で容易に覚えることができる歯型模型及びその使用方法を提供することを目的とする。
【課題を解決するための手段】
【０００６】
［１］  所定部分が欠損されてなる歯冠部を備えることを特徴とする歯型模型。
［２］  前記歯冠部の欠損部位に、整形部を取着するための取着部が設けられている上記［１］記載の歯型模型。
［３］  前記取着部が外方に向って突出する突出状である上記［２］記載の歯型模型。
［４］  前記歯冠部の欠損部位に、整形部が予め設けられている上記［１］記載の歯型模型。
［５］  前記歯冠部に連なる歯根部を備え、エナメル質とセメント質との境界を示す歯頚線が形成されている上記［１］乃至［４］のいずれか一項に記載の歯型模型。
［６］  前記歯冠部が前歯のものである上記［１］乃至［５］のいずれか一項に記載の歯型模型。
［７］  前記歯冠部の近心側、遠心側、唇側、舌側及び切面側のうちの１又は２以上を欠損してなる上記［６］記載の歯型模型。
［８］  前記歯冠部が臼歯のものである上記［１］乃至［５］のいずれか一項に記載の歯型模型。
［９］  前記歯冠部の近心側、遠心側、頬側、舌側及び咬合面側のうちの１又は２以上を欠損してなる上記［８］記載の歯型模型。
［１０］  上記［２］又は［３］記載の歯型模型の使用方法であって、
前記取着部に整形用材料を用いて整形部を取着し、その後、前記歯冠部を基準として前記整形部を整形することを特徴とする歯型模型の使用方法。
［１１］  前記歯型模型は、前記歯冠部に連なる歯根部を備え、前記歯冠部と共に、エナメル質とセメント質との境界を示す歯頚線を基準として前記整形部を整形する上記［１０］記載の歯型模型の使用方法。
［１２］  上記［４］記載の歯型模型の使用方法であって、
前記歯冠部を基準として前記整形部を整形することを特徴とする歯型模型の使用方法。
［１３］  前記歯型模型は、前記歯冠部に連なる歯根部を備え、前記歯冠部と共に、エナメル質とセメント質との境界を示す歯頚線を基準として前記整形部を整形する上記［１２］記載の歯型模型の使用方法。
【発明の効果】
【０００７】
本発明の歯型模型によると、その模型に予め形成されている歯冠部を基準（例えば、高さ、長さ、角度、歯軸等の基準）として参考にしながら整形部を整形して歯形が形成される。従って、訓練生は、歯の形の整形を集中的に行うことができ、正確な歯の形を短時間で容易に覚えることができる。また、教官にとっては訓練（授業）を計画的に実施することができる。また、整形後の整形部を新たに取り替えたり、複数の歯型模型を用意したりすることによって、歯の形の整形を繰返し行うことができる。さらに、欠損部位が異なる複数の歯型模型を用意することによって、訓練生は自身の苦手とする歯面について集中的に繰返して訓練することができる。
【０００８】
また、前記歯冠部の欠損部位に、整形部を取着するための取着部が設けられている場合は、取着部に取着された整形部を整形することができる。
また、前記取着部が外方に向って突出する突出状である場合は、整形部の取着部への取着を好適に保持させることができる。また、整形部をなす材料の使用量を最小限に抑えることができる。
また、前記歯冠部の欠損部位に、整形部が予め設けられている場合は、予め設けられた整形部を整形することができる。
また、前記歯冠部に連なる歯根部を備え、エナメル質とセメント質との境界を示す歯頚線が形成されている場合は、歯冠部と共に歯頚線を基準として参考にしながら、整形部を整形することができる。
また、前記歯冠部が前歯のものである場合は、前歯の歯の形を覚える訓練を実施することができる。
また、前記歯冠部の近心側、遠心側、唇側、舌側及び切面側のうち１又は２以上を欠損してなる場合は、前歯における歯冠の各歯面の形を覚える訓練を実施することができる。
また、前記歯冠部が臼歯のものである場合は、臼歯の歯の形を覚える訓練を実施することができる。
また、前記歯冠部の近心側、遠心側、頬側、舌側及び咬合面側のうち１又は２以上を欠損してなる場合は、臼歯における歯冠の各歯面の形を覚える訓練を実施することができる。
【０００９】
本発明の歯型模型の使用方法によると、先ず、取着部に整形用材料を用いて整形部が取着され、その後、予め設けられている歯冠部を基準（例えば、高さ、長さ、角度、軸等の基準）として参考にしながら、この整形部を整形して歯形が形成される。従って、訓練生は、歯の形の整形を集中的に行うことができ、正確な歯の形を短時間で容易に覚えることができる。また、教官にとっては訓練（授業）を計画的に実施することができる。また、整形後の整形部を新たに取り替えたり、複数の歯型模型を用意したりすることによって、歯の形の整形を繰返し行うことができる。さらに、欠損部位が異なる複数の歯型模型を用意することによって、訓練生は自身の苦手とする歯面について集中的に繰返して訓練することができる。
また、前記歯型模型が前記歯冠部に連なる歯根部を備える場合は、前記歯冠部と共に、エナメル質とセメント質との境界を示す歯頚線を基準として前記整形部を整形することができる。
【００１０】
本発明の他の歯型模型の使用方法によると、予め形成されている歯冠部を基準（例えば、高さ、長さ、角度、軸等の基準）として参考にしながら、この歯冠部の欠損部位に予め設けられている整形部を整形して歯形が形成される。従って、訓練生は、歯の形の整形を集中的に行うことができ、正確な歯の形を短時間で容易に覚えることができる。また、教官にとっては訓練（授業）を計画的に実施することができる。また、整形後の整形部を新たに取り替えたり、複数の歯型模型を用意したりすることによって、歯の形の整形を繰返し行うことができる。さらに、欠損部位が異なる複数の歯型模型を用意することによって、訓練生は自身の苦手とする歯面について集中的に繰返して訓練することができる。
また、前記歯型模型が前記歯冠部に連なる歯根部を備える場合は、前記歯冠部と共に、エナメル質とセメント質との境界を示す歯頚線を基準として前記整形部を整形することができる。
【発明を実施するための最良の形態】
【００１１】
１．歯型模型
本発明に係る歯型模型は、後述する歯冠部を備えて構成される。この歯型模型は、例えば、後述する歯根部及び載置部のうちの少なくとも一方をさらに備えることができる。
【００１２】
上記「歯冠部」は、所定部位が欠損されてなる限り、その種類、大きさ、材質等は特に問わない。この歯冠部の種類としては、例えば、切歯及び犬歯を含む前歯、小臼歯及び大臼歯を含む臼歯等を挙げることができる。この前歯の歯冠部は、通常、近心面、遠心面、唇側面、舌側面及び切面を有している。また、この臼歯の歯冠部は、通常、近心面、遠心面、頬側面、舌側面及び咬合面を有している。また、歯冠部の大きさは、例えば、実際のヒトの歯冠と同じ大きさであったり、実際のヒトの歯冠に対して所定の倍率で拡縮された大きさであったりできる。また、歯冠部の材質としては、例えば、石膏、合成樹脂、金属等を挙げることができる。また、この歯冠部は、例えば、後述する載置部（又は歯冠部）に着脱可能な別部材であることができるが、載置部（又は歯冠部）と一体の部材であることが好ましい。
尚、歯冠とは、歯のうちエナメル質に覆われた部分を意味する。
【００１３】
上記歯冠部の欠損部位の形状、大きさ、個数等は特に問わない。この欠損部位は、例えば、上記歯冠部が前歯のものである場合、近心側、遠心側、唇側、舌側及び切面側のうち１又は２以上を含んだ部位であることができる。これにより、正確な前歯の歯の形を、より効率良く短時間で簡易に覚えることができる。この場合、上記欠損部位は、例えば、上述の所定側の全面域を含む部位であったり、所定側の一部の面域を含む部位であったりすることができる。また、この欠損部位は、例えば、近心側及び遠心側のうちの一方側を含んだ部位であったり、唇側及び舌側のうちの一方側を含んだ部位であったりできる。
また、上記欠損部位は、例えば、上記歯冠部が臼歯のものである場合、近心側、遠心側、頬側、舌側及び咬合面側のうち１又は２以上を含んだ部位であることができる。これにより、正確な臼歯の歯の形を、より効率良く短時間で簡易に覚えることができる。この場合、上記欠損部位は、例えば、上述の所定側の全面域を含む部位であったり、所定側の一部の面域を含む部位であったりすることができる。また、この欠損部位は、例えば、近心側及び遠心側のうちの一方側を含んだ部位であったり、頬側及び舌側のうちの一方側を含んだ部位であったりできる。
【００１４】
ここで、本発明に係る歯型模型としては、例えば、（１）上記欠損部位に整形部を取着するための取着部が設けられている形態、（２）上記欠損部位に整形部が予め設けられている形態等を挙げることができる。
【００１５】
上記（１）形態の場合、この「取着部」の形状、大きさ、個数等は特に問わない。この取着部は、例えば、平面及び／又は曲面よりなることができる。また、この取着部は、例えば、内方へ窪んだ凹状であることができる。整形部を好適に保持し得るといった観点から、取着部が、外方へ突出する突出状であることが好ましい。この突出状としては、例えば、膨出状、凸状、柱状等を挙げることができる。また、この取着部は、通常、上記歯冠部に連なっている。また、この取着部は、例えば、上記歯冠部に着脱可能な別部材であることができるが、上記歯冠部と一体の部材であることが好ましい。また、この取着部は、例えば、歯冠部の欠損された所定部分の外郭形状より小さな外郭形状を有することができる。この場合、この取着部が、歯冠部の欠損された所定部分の外郭形状に略倣った外郭形状を有することが好ましい。
【００１６】
上記「整形部」の材質、形状、個数等は特に問わない。この整形部は、通常、歯冠部の欠損された所定部分の外郭形状より大きな外郭形状を有する。この整形部の材料としては、例えば、ワックス、粘土、合成樹脂等を挙げることができる。このワックスとしては、例えば、パラフィンワックス、軟質ワックス、硬質ワックス等を挙げることができる。また、整形部の材料は、例えば、硬化性を有することができる。これにより、整形を容易に行うことができる。
なお、上記整形部とは、エバンス、彫刻刀等を用いて彫刻、切削等される部位を意味する。
【００１７】
上記（２）形態の場合、この「整形部」の材質、形状、個数等は特に問わない。この整形部は、通常、歯冠部の欠損された所定部分の外郭形状より大きな外郭形状を有する。この整形部の材質としては、石膏、合成樹脂、ワックス、木材等を挙げることができる。また、この整形部は、通常、歯冠部に連なっている。また、この整形部は、例えば、上記歯冠部に着脱可能な別部材であることができるが、上記歯冠部と一体の部材であることが好ましい。
なお、上記整形部とは、エバンス、彫刻刀等を用いて彫刻、切削等される部位を意味する。
【００１８】
上記「歯根部」は、上記歯冠部に連なるものである限り、その種類、大きさ、材質等は特に問わない。この歯根部の種類としては、例えば、切歯及び犬歯を含む前歯、小臼歯及び大臼歯を含む臼歯等を挙げることができる。また、歯根部の大きさは、例えば、実際のヒトの歯根と同じ大きさであったり、実際のヒトの歯根に対して所定の倍率で拡縮された大きさであったりできる。また、歯根部の材質としては、例えば、石膏、合成樹脂、金属等を挙げることができる。また、この歯根部は、例えば、後述する載置部（又は上記歯冠部）に着脱可能な別部材であることができるが、載置部（又は歯冠部）と一体の部材であることが好ましい。
尚、歯根とは、歯のうちセメント質に覆われた部分を意味する。
【００１９】
ここで、本発明に係る歯型模型が上記歯冠部及び上記歯根部を備える場合、この歯冠部と歯根部との間には、エナメル質とセメント質との境界を示す歯頚線が形成されることとなる。これにより、訓練生は、歯冠部と共に歯頚線を基準として整形部を整形することができる。
【００２０】
上記「載置部」は、テーブル等の床面に載置する平らな載置面を有する限り、その形状、大きさ、材質等は特に問わない。上記歯型模型が歯冠部のみを備える場合、この載置部は、通常、歯冠部に連なっている。上記歯型模型が歯冠部及び歯根部を備える場合、この載置部は、通常、歯根部に連なっている。また、この載置部の形状としては、例えば、ブロック状、平板状、多足状等を挙げることができる。
【００２１】
尚、参考として、図４８に示すように、ヒトの上顎及び下顎の歯には、中切歯、側切歯、犬歯、第一小臼歯、第二小臼歯、第一大臼歯、第二大臼歯及び第三大臼歯がある。また、図４９に示すように、切歯及び犬歯などの前歯が口唇粘膜に面する側を「唇側」、小臼歯及び大臼歯などの臼歯が頬粘膜に面する側を「頬側」という。さらに、唇側及び頬側の反対方向すなわち内側方向は、上顎では「口蓋側」、下顎では「舌側」であるが、本明細書では、上顎も下顎も全て「舌側」を用いることとする。
【００２２】
２．歯型模型の使用方法
本発明に係る歯型模型の使用方法は、上記（１）形態の歯型模型の使用方法であって、前記取着部に整形用材料を用いて整形部を取着し、その後、前記歯冠部を基準として前記整形部を整形することを特徴とする。この場合、例えば、上記（１）形態の歯型模型が、前記歯冠部に連なる歯根部を備え、前記歯冠部と共に、エナメル質とセメント質との境界を示す歯頚線を基準として前記整形部を整形することができる。
本発明に係る他の歯型模型の使用方法は、上記（２）形態の歯型模型の使用方法であって、前記歯冠部を基準として前記整形部を整形することを特徴とする。この場合、例えば、上記（２）形態の歯型模型が、前記歯冠部に連なる歯根部を備え、前記歯冠部と共に、エナメル質とセメント質との境界を示す歯頚線を基準として前記整形部を整形することができる。
【実施例】
【００２３】
以下、図面を参照して実施例により本発明を具体的に説明する。
尚、本実施例では、本発明に係る歯型模型として、上顎右側中切歯について６種類の歯型模型１ａ〜１ｆと、上顎右側第二小臼歯について６種類の歯型模型１１ａ〜１１ｆとを例示する。但し、本発明に係る歯型模型は、上記歯種に限定されることなく、全ての歯種に応じた模型として構成することができる。更に、本実施例では、各歯型模型において同じ構成の部分は同符号を付け詳細な説明を省略するものとする。
【００２４】
（実施例１）
<上顎右側中切歯の歯型模型>
本実施例に係る歯型模型１ａは、図１〜図３に示すように、石膏よりなり、テーブル等に安定して載置される載置部２と、この載置部２から上方に延びる歯根部３と、この歯根部３から上方に延びる歯冠部４とを基本的に備えている。この歯冠部４は、前歯（上顎右側中切歯）のものであり、近心面、遠心面、唇側面、舌側面及び切面の各歯面を有している。そして、この歯冠部４は、唇側が欠損され、その欠損部位Ｓには、外方（唇側）に向って膨出する膨出状の取着部５が形成されている。この取着部５は、欠損された歯冠部の外郭形状よりひと回り小さく、かつその外郭形状に倣った形状を有している。また、歯冠部４と歯根部３との間には、エナメル質とセメント質との境界を示す歯頚線６が形成されている。
【００２５】
次に、上記歯形模型１ａの使用方法について説明する。図４に示すように、先ず、取着部５に、その厚さを適宜調整してワックスＷを用いて整形部７が取着される。このとき、取着部５以外の不必要な部位にワックスＷが取着されないように注意する。その後、図５に示すように、予め形成されている歯冠部４の高さ、長さや歯頚線６等を基準として参考にしながら、エンボスや彫刻刀などを用いてワックスＷの表面形状を整えて、完全な歯冠部４の唇側面が形成されることとなる。
【００２６】
このように、上記歯型模型１ａを使用して、取着部５に取着されたワックスＷの整形を行えば、訓練生は、上顎右側中切歯の正確な唇側の形を短時間で容易に覚えることができる。また、整形後のワックスＷを取り除いて、取着部５に新たなワックスＷを盛り付ければ、この歯型模型１ａを繰返し使用でき、上顎右側中切歯の唇側の形を覚える訓練を集中して行うことができる。また、取着部５に取着されるワックスＷは、膨出状の取着部５によって強固に保持されるので、歯冠部４からワックスＷが外れてしまうことが防止される。さらに、膨出状の取着部５によってワックスＷの使用量を必要最小限に抑えることができる。
【００２７】
次に、歯型模型１ｂは、図６〜図８に示すように、上記歯形模型１ａと同様にして、石膏よりなり、載置部２、歯根部３及び歯冠部４を基本的に備えている。この歯冠部４は、舌側が欠損され、その欠損部位Ｓには、外方（舌側）に向って突出する凸状の取着部５が形成されている。
従って、この歯型模型１ｂを使用して、取着部５に取着されたワックスＷの整形を繰返し行えば、訓練生は、上顎右側中切歯の正確な舌側の形を短時間で容易に覚えることができる。
【００２８】
次に、歯型模型１ｃは、図９〜図１１に示すように、上記歯形模型１ａと同様にして、石膏よりなり、載置部２、歯根部３及び歯冠部４を基本的に備えている。この歯冠部４は、歯冠幅方向の略半分の近心側が欠損され、その欠損部位Ｓには、外方（近心側）に突出する膨出状の取着部５が形成されている。
従って、この歯型模型１ｃを使用して、取着部５に取着されたワックスＷの整形を繰返し行えば、訓練生は、上顎右側中切歯の正確な近心側の形を短時間で容易に覚えることができる。
【００２９】
次に、歯型模型１ｄは、図１２〜図１４に示すように、上記歯形模型１ａと同様にして、石膏よりなり、載置部２、歯根部３及び歯冠部４を基本的に備えている。この歯冠部４は、歯冠幅方向の略半分の遠心側が欠損され、その欠損部位Ｓには、外方（遠心側）に向って突出する膨出状の取着部５が形成されている。
従って、この歯型模型１ｄを使用して、取着部５に取着されたワックスＷの整形を繰返し行えば、訓練生は、上顎右側中切歯の正確な遠心側の形を短時間で容易に覚えることができる。
【００３０】
次に、歯型模型１ｅは、上記歯形模型１ａと同様にして、図１５〜図１８に示すように、石膏よりなり、載置部２、歯根部３及び歯冠部４を基本的に備えている。この歯冠部４は、切面側が欠損され、その欠損部位Ｓには、外方（切面側）に向って突出する膨出状の取着部５が形成されている。
従って、この歯型模型１ｅを使用して、取着部５に取着されたワックスＷの整形を繰返し行えば、訓練生は、上顎右側中切歯の正確な切面側の形を短時間で容易に覚えることができる。
【００３１】
次に、歯型模型１ｆは、上記歯形模型１ａと同様にして、図１９〜図２２に示すように、石膏よりなり、載置部２、歯根部３及び歯冠部４を基本的に備えている。この歯冠部４は、唇側、舌側、遠心側及び近心側の歯冠長方向の中央部及び下部が欠損され、その欠損部位Ｓには、膨出状（柱状）の取着部５が形成されている。
従って、この歯型模型１ｆを使用して、その取着部５に取着されたワックスＷの整形を繰返し行えば、訓練生は、上顎右側中切歯の正確な唇側、舌側、遠心側及び近心側の形を短時間で容易に覚えることができる。
【００３２】
<上顎右側第二小臼歯の歯型模型>
本実施例に係る歯型模型１１ａは、図２３〜図２５に示すように、石膏よりなり、テーブル等に安定して載置される載置部１２と、この載置部１２から上方に延びる歯根部１３と、この歯根部１３から上方に延びる歯冠部１４とを基本的に備えている。この歯冠部１４は、臼歯（上顎右側第二小臼歯）のものであり、近心面、遠心面、唇側面、頬側面及び咬合面の各歯面を有している。そして、この歯冠部１４は、唇側が欠損され、その欠損部位Ｓには、外方（唇側）に向って突出する膨出状の取着部１５が形成されている。この取着部１５は、欠損された歯冠部１４の外郭形状よりひと回り小さく、かつその外郭形状に倣った形状を有している。また、歯冠部１４と歯根部１３との間には、エナメル質とセメント質との境界を示す歯頚線１６が形成されている。
【００３３】
次に、上記歯形模型１１ａの使用方法について説明する。図２６に示すように、先ず、歯冠部１４の取着部１５に、その厚さを適宜調整してワックスＷを用いて整形部１７が取着される。このとき、取着部１５以外の不必要な部位にワックスＷが取着されないように注意する。その後、図２７に示すように、予め形成されている歯冠部１４の高さ、長さや歯頚線１６等を基準として参考にしながら、エンバスや彫刻刀などを用いてワックスＷの表面形状が整えられて、歯冠部１４の唇側面が形成されることとなる。
【００３４】
このように、上記歯型模型１１ａを使用して、取着部１５に取着されたワックスＷの整形を行えば、訓練生は、上顎右側第二小臼歯の正確な唇側の形を短時間で容易に覚えることができる。また、整形後のワックスＷを取り除いて、その取着部１５に新たなワックスＷを盛り付ければ、この歯型模型１１ａを繰返し使用でき、上顎右側第二小臼歯の唇側の形を覚える訓練を集中して行うことができる。また、取着部１５に取着されるワックスＷは、膨出状の取着部１５によって強固に保持されるので、歯冠部１４からワックスＷが外れてしまうことが防止される。さらに、膨出状の取着部１５によってワックスＷの使用量を必要最小限に抑えることができる。
【００３５】
次に、歯型模型１１ｂは、図２８〜図３０に示すように、上記歯形模型１１ａと同様にして、石膏よりなり、載置部１２、歯根部１３及び歯冠部１４を基本的に備えている。この歯冠部１４は、咬合面側の中心部が欠損され、この欠損部位Ｓには、下方に向って窪んだ凹状の取着部１５が形成されている。
従って、この歯型模型１１ｂを使用して、取着部１５に取着されたワックスＷの整形を繰返し行えば、訓練生は、上顎右側第二小臼歯の正確な咬合面側の形を短時間で容易に覚えることができる。
【００３６】
次に、歯型模型１１ｃは、図３１〜図３３に示すように、上記歯形模型１１ａと同様にして、石膏よりなり、載置部１２、歯根部１３及び歯冠部１４を基本的に備えている。この歯冠部１４は、歯冠幅方向の略半分の近心側が欠損され、その欠損部位Ｓには、外方（近心側）に突出する膨出状の取着部１５が形成されている。
従って、この歯型模型１１ｃを使用して、取着部１５に取着されたワックスＷの整形を繰返し行えば、訓練生は、上顎右側第二小臼歯の正確な近心側の形を短時間で容易に覚えることができる。
【００３７】
次に、歯型模型１１ｄは、図３４〜図３６に示すように、上記歯形模型１１ａと同様にして、石膏よりなり、載置部１２、歯根部１３及び歯冠部１４を基本的に備えている。この歯冠部１４は、歯冠幅方向の略半分の遠心側が欠損され、その欠損部位Ｓには、外方（遠心側）に向って突出する膨出状の取着部１５が形成されている。
従って、この歯型模型１１ｄを使用して、取着部１５に取着されたワックスＷの整形を繰返し行えば、訓練生は、上顎右側第二小臼歯の正確な遠心側の形を短時間で容易に覚えることができる。
【００３８】
次に、歯型模型１１ｅは、図３７〜図４０に示すように、上記歯形模型１１ａと同様にして、石膏よりなり、載置部１２、歯根部１３及び歯冠部１４を基本的に備えている。この歯冠部１４は、切面側が欠損され、その欠損部位Ｓには、外方（切面側）に向って突出する膨出状の取着部１５が形成されている。
従って、この歯型模型１１ｅを使用して、取着部１５に取着されたワックスＷの整形を繰返し行えば、訓練生は、上顎右側第二小臼歯の正確な切面側の形を短時間で容易に覚えることができる。
【００３９】
次に、歯型模型１１ｆは、図４１〜図４４に示すように、上記歯形模型１１ａと同様にして、石膏よりなり、載置部１２、歯根部１３及び歯冠部１４を基本的に備えている。この歯冠部１４は、頬側、舌側、遠心側及び近心側の歯冠長方向の中央及び下部が欠損され、その欠損部位Ｓには、膨出状（柱状）の取着部１５が形成されている。
従って、この歯型模型１１ｆを使用して、その取着部１５に取着されたワックスＷの整形を繰返し行えば、訓練生は、上顎右側第二小臼歯の正確な頬側、舌側、遠心側及び近心側の形を短時間で容易に覚えることができる。
【００４０】
（その他の実施例）
次に、その他の実施例に係る歯型模型について説明する。尚、本実施例では、本発明に係る歯型模型として、上顎右側第二小臼歯の歯型模型２１を例示する。但し、本発明に係る歯型模型は、上記歯種に限定されることなく、全ての歯種に応じた模型として構成することができる。
上記歯型模型２１は、図４５〜図４７に示すように、石膏よりなり、テーブル上に安定して載置される載置部２２と、この載置部２２から上方に延びる歯根部２３と、この歯根部２３から上方に延びる歯冠部２４とを基本的に備えている。この歯冠部２４は、臼歯（上顎右側第二小臼歯）のものであり、近心面、遠心面、唇側面、頬側面及び咬合面の各歯面を有している。そして、この歯冠部２４は、唇側が欠損され、その欠損部位Ｓには、角ブロック状の彫刻部２５（本発明に係る「整形部」として例示する。）が設けられている。この彫刻部２５は、欠損された歯冠部２４の外郭形状より大きな形状を有している。
【００４１】
上記歯型模型２１では、予め形成されている歯冠部２４の高さ、長さや歯頚線２６等を基準として参考にしながら、予め形成されている彫刻部２５を、エバンスや彫刻刀などにより彫刻して、歯冠部２４の唇側面が形成されることとなる。
従って、この歯型模型２１を多数個用意しておき、各歯型模型２１における彫刻部２５の彫刻を繰返し行えば、訓練生は、上顎右側第二小臼歯の正確な唇側の形を短時間で容易に覚えることができる。
【産業上の利用可能性】
【００４２】
本発明は、例えば、専門学校や歯科大学等での歯科技工の学習及びこれに関連する分野に広く利用される。
【図面の簡単な説明】
【００４３】
【図１】実施例１に係る上顎右側中切歯の歯型模型の平面図である。
【図２】図１のII矢視図である。
【図３】図１のIII矢視図である。
【図４】上記歯型模型の使用方法を説明するための説明図である。
【図５】同じく、使用方法を説明するための説明図である。
【図６】他の形態の歯型模型の平面図である。
【図７】図６のVII矢視図である。
【図８】図６のVIII矢視図である。
【図９】更に、他の形態の歯型模型の平面図である。
【図１０】図９のX矢視図である。
【図１１】図９のXI矢視図である。
【図１２】更に、他の形態の歯型模型の平面図である。
【図１３】図１２のXIII矢視図である。
【図１４】図１２のXIV矢視図である。
【図１５】更に、他の形態の歯型模型の正面図である。
【図１６】上記歯型模型の背面図である。
【図１７】図１５のXVII矢視図である。
【図１８】図１５のXVIII矢視図である。
【図１９】更に、他の形態の歯型模型の正面図である。
【図２０】上記歯型模型の背面図である。
【図２１】図１９のXXI矢視図である。
【図２２】図１９のXXII矢視図である。
【図２３】実施例１に係る上顎右側第二小臼歯の歯型模型の平面図である。
【図２４】図２３のXXIV矢視図である。
【図２５】図２３のXXV矢視図である。
【図２６】上記歯型模型の使用方法を説明するための説明図である。
【図２７】同じく、使用方法を説明するための説明図である。
【図２８】他の形態の歯型模型の平面図である。
【図２９】図２８のXXIX矢視図である。
【図３０】図２８のXXX矢視図である。
【図３１】更に、他の形態の歯型模型の平面図である。
【図３２】図３１のXXXII矢視図である。
【図３３】図３１のXXXIII矢視図である。
【図３４】更に、他の形態の歯型模型の平面図である。
【図３５】図３４のXXXV矢視図である。
【図３６】図３４のXXXVI矢視図である。
【図３７】更に、他の形態の歯型模型の正面図である。
【図３８】上記歯型模型の背面図である。
【図３９】図３７のXXXIX矢視図である。
【図４０】図３７のXL矢視図である。
【図４１】更に、他の形態の歯型模型の正面図である。
【図４２】上記歯型模型の背面図である。
【図４３】図４１のXLIII矢視図である。
【図４４】図４１のXLIV矢視図である。
【図４５】その他の実施例に係る上顎右側第二小臼歯の歯型模型の平面図である。
【図４６】図４５のXLVI矢視図である。
【図４７】図２３のXLVII矢視図である。
【図４８】ヒトの歯の種類を説明するための参考図である。
【図４９】ヒトの歯の方向を説明するための参考図である。
【図５０】従来一般の歯型彫刻の実習方を説明するための説明図である。
【符号の説明】
【００４４】
１ａ〜１ｆ，１１ａ〜１１ｆ，２１；歯型模型、３，１３，２３；歯根部、４，１４，２４；歯冠部、５，１５；取着部、６，１６，２６；歯頚線、７，１７；整形部、２５；彫刻部、Ｓ；欠損部位、Ｗ；ワックス。
【図１】
2005261780.tif 000003
【図２】
2005261780.tif 000004
【図３】
2005261780.tif 000005
【図４】
2005261780.tif 000006
【図５】
2005261780.tif 000007
【図６】
2005261780.tif 000008
【図７】
2005261780.tif 000009
【図８】
2005261780.tif 000010
【図９】
2005261780.tif 000011
【図１０】
2005261780.tif 000012
【図１１】
2005261780.tif 000013
【図１２】
2005261780.tif 000014
【図１３】
2005261780.tif 000015
【図１４】
2005261780.tif 000016
【図１５】
2005261780.tif 000017
【図１６】
2005261780.tif 000018
【図１７】
2005261780.tif 000019
【図１８】
2005261780.tif 000020
【図１９】
2005261780.tif 000021
【図２０】
2005261780.tif 000022
【図２１】
2005261780.tif 000023
【図２２】
2005261780.tif 000024
【図２３】
2005261780.tif 000025
【図２４】
2005261780.tif 000026
【図２５】
2005261780.tif 000027
【図２６】
2005261780.tif 000028
【図２７】
2005261780.tif 000029
【図２８】
2005261780.tif 000030
【図２９】
2005261780.tif 000031
【図３０】
2005261780.tif 000032
【図３１】
2005261780.tif 000033
【図３２】
2005261780.tif 000034
【図３３】
2005261780.tif 000035
【図３４】
2005261780.tif 000036
【図３５】
2005261780.tif 000037
【図３６】
2005261780.tif 000038
【図３７】
2005261780.tif 000039
【図３８】
2005261780.tif 000040
【図３９】
2005261780.tif 000041
【図４０】
2005261780.tif 000042
【図４１】
2005261780.tif 000043
【図４２】
2005261780.tif 000044
【図４３】
2005261780.tif 000045
【図４４】
2005261780.tif 000046
【図４５】
2005261780.tif 000047
【図４６】
2005261780.tif 000048
【図４７】
2005261780.tif 000049
【図４８】
2005261780.tif 000050
【図４９】
2005261780.tif 000051
【図５０】
2005261780.tif 000052